(57)【要約】【課題】  発光点の軌跡を表示することができる外部機器を用いて文字等を描き始めるときにその書出位置のわかるライトペンを提供する。【解決手段】  ライトペン１は、ペン本体１０の先端部に設けられ、ペン本体１０の先端部の位置を指示するための光を発する発光部３０と、発光部３０の軌跡を表示するための軌跡表示信号を発信する発信部４０と、この発信部４０からの軌跡表示信号の出力を選択的に行うための筆圧式スイッチ６０とを備えている。筆圧式スイッチ６０では、ペン本体１０の先端部への押圧力に応じてＯＮ／ＯＦＦ状態が切り替えられる。このようなライトペン１では、発光部３０の発光点の軌跡を表示することができる所定の外部機器に対して発信部４０から軌跡表示信号を発信するとき、発光部３０の発光点に対応したポインタマークを、その外部機器に表示されている資料の画像に初めから表示することができる。【選択図】        図１
2006189706.tif 000002
【特許請求の範囲】
【請求項１】
ペン本体と、
このペン本体の先端部に設けられ、前記ペン本体の先端部の位置を指示するための光を発する発光部と、
この発光部の軌跡を表示するための軌跡表示信号を出力する出力部と、
この出力部からの前記軌跡表示信号の出力を選択的に行うためのスイッチとを備えたことを特徴とするライトペン。
【請求項２】
前記スイッチは、前記ペン本体の先端部への押圧力に応じてＯＮ／ＯＦＦ状態を切り替える筆圧式スイッチであることを特徴とする請求項１に記載のライトペン。
【請求項３】
前記スイッチは、押下ボタン式スイッチであることを特徴とする請求項１に記載のライトペン。
【請求項４】
前記スイッチは、前記ペン本体の先端部への押圧力が第１押圧力設定値に達したときにＯＮ状態に切り替わる第１スイッチ部と、前記ペン本体の先端部への押圧力が前記第１押圧力設定値よりも大きな第２押圧力設定値に達したときにＯＮ状態に切り替わる第２スイッチ部とを有する２段押し筆圧式スイッチであることを特徴とする請求項１に記載のライトペン。
【請求項５】
前記スイッチは、押下ボタンと、この押下ボタンが第１の距離を押下されたときにＯＮ状態に切り替わる第１スイッチ部と、前記押下ボタンが前記第１の距離を押下された状態からさらに第２の距離を押下されたときにＯＮ状態に切り替わる第２スイッチ部とを有する２段押し押下ボタン式スイッチであることを特徴とする請求項１に記載のライトペン。
【請求項６】
前記出力部は、前記スイッチのＯＮ／ＯＦＦ状態に応じて前記軌跡表示信号を選択的に発信する発信部であることを特徴とする請求項１〜５のいずれかに記載のライトペン。
【請求項７】
前記出力部は、前記スイッチのＯＮ／ＯＦＦ状態に応じて光を選択的に発する発光部であることを特徴とする請求項１〜５のいずれかに記載のライトペン。
【請求項８】
前記出力部は、前記スイッチのＯＮ／ＯＦＦ状態に応じて前記ペン本体の先端部の前記発光部とは異なる形状の光を選択的に発する発光部であることを特徴とする請求項１〜５のいずれかに記載のライトペン。
【請求項９】
前記出力部は、前記スイッチのＯＮ／ＯＦＦ状態に応じて互いに異なる点滅周期の光を選択的に発する前記発光部であることを特徴とする請求項１〜５のいずれかに記載のライトペン。
【請求項１０】
前記出力部は、前記スイッチのＯＮ／ＯＦＦ状態に応じて互いに異なる強度の光を選択的に発する前記発光部であることを特徴とする請求項１〜５のいずれかに記載のライトペン。
【発明の詳細な説明】
【技術分野】
【０００１】
本発明は、プレゼンテーションで指示手段として用いられる発光装置であるライトペンに係り、特にライトペンの発光部の発光点の軌跡を表示する技術に関する。
【背景技術】
【０００２】
プレゼンテーションにおいて、プレゼンターが資料の画像における所定の箇所を指示して説明を行う場合、指示手段が用いられる。指示手段として、従来はレーザポインタが用いられていたが、レーザポインタの場合、レーザ光が誤投射されて人の目に入るといった安全性の問題や、消費電力が大きいといった問題などがあった。
【０００３】
そこで、本出願人は、資料提示装置を用いて、資料が載置された資料載置台に仮想スクリーンを仮想的に生成し、資料に対してライトペンの発光部を発光させ、仮想スクリーンにおける発光点の位置情報をもとに所定のポインタ画像を資料の画像に合成し、表示装置に表示することにより、資料の画像における所定の箇所の指示を行うことを提案している（たとえば特許文献１参照）。
【０００４】
【特許文献１】特願２００３−０８７５４２号（要約）
【０００５】
具体的には、プレゼンターは、資料提示装置の撮像部により資料の画像を撮影し、撮影された資料の画像を表示装置であるスクリーンやモニタに表示させ、次いで、ライトペンとして筆圧式ライトペンを用いて、ペン本体先端部を資料載置台上の資料に対して押圧することにより発光部を発光させる。発光点は、資料提示装置の撮像部により撮影され、撮影された画像が制御部に取り込まれ、そこで仮想スクリーンにおける発光点の座標が算出され、算出された座標に対応する上記資料の画像における座標にポインタマーク等のポインタ画像が合成され、表示装置に表示される。このようなポインタ画像によって、視聴者に対して、資料の画像の所定位置を指示することができる。
【０００６】
また、このような資料提示装置では、上記のようなポインティングモードに加えて、描画モードを実行することができる。具体的には、プレゼンターは、所定のスイッチを操作してポインティングモードから描画モードに切り替え、上記の筆圧式ライトペンを用いて、ペン本体の先端部を資料に押圧し、発光部を発光させながら移動させる。この場合、撮像部で順次撮影された発光点の画像が資料提示装置の制御部に取り込まれ、そこで仮想スクリーンにおける発光点の座標が順次算出されて発光点の軌跡が得られ、その軌跡に対応する上記資料の画像における座標に発光点の軌跡をトレースした画像が合成される。
【発明の開示】
【発明が解決しようとする課題】
【０００７】
ところで、上記のようなポインティングモードでは、筆圧式ライトペンの発光部が筆圧を受けて発光するとき、資料の画像にはポインタマークが表示されるだけである。このため、発光部を発光させながらライトペンを動かしても発光部の軌跡は資料の画像上には残らないから発光点の軌跡を描くことができない。また、上記のように所定のスイッチを操作して、ポインティングモードから描画モードへの切り換えを行う場合、資料の画像に初めからポインタマークが表示されていないときには、文字等を描き始める書き出し位置が判らないという不便さがあった。
【０００８】
したがって、本発明は、描画モードへの切り換えを行うときに、発光部の発光点に対応したポインタマークを資料の画像に初めから表示することにより文字等の書き出し位置が判り、かつ描画モードのＯＮ／ＯＦＦ状態の切り換えを容易に行うことができるライトペンを提供することを目的としている。
【課題を解決するための手段】
【０００９】
本発明のライトペンは、ペン本体と、このペン本体の先端部に設けられ、ペン本体の先端部の位置を指示するための光を発する発光部と、発光部の軌跡を表示するための軌跡表示信号を出力する出力部と、この出力部からの軌跡表示信号の出力を選択的に行うためのスイッチとを備えたことを特徴としている。
【００１０】
本発明のライトペンでは、発光部を発光させた状態で、スイッチを操作することにより発光部の軌跡を表示するための軌跡表示信号を選択的に出力部から出力することができるので、発光部の発光点の軌跡を表示することができる所定の外部機器に対して、出力部から軌跡表示信号を発信するとき、発光部の発光点に対応したポインタマークを、その外部機器に表示されている資料の画像に初めから表示することができる。
【００１１】
上記の外部機器として、たとえば、次のような資料提示装置がある。すなわち、資料提示装置は、資料が載置される資料載置面を有する資料載置手段と、資料を撮影する撮像手段と、撮像手段により撮影された資料の撮影画像に画像処理を行い、画像処理が行われた資料の撮影画像を表示装置に出力する制御手段とを備え、資料は、発光点により指示され、撮像手段は、資料上の発光点を順次撮影し、制御手段は、画像処理によって、撮像手段で撮影された発光点の撮影画像を基にして、ライトペンの出力部が軌跡表示信号を出力していないときに、表示装置に表示される資料の画像に所定のポインタ画像を合成するポインティングモードを実行し、ライトペンの出力部が軌跡表示信号を出力しているときに、表示装置に表示される資料の画像に発光点の軌跡をトレースした画像を合成する描画モードを実行するように構成することができる。
【００１２】
本発明のライトペンを上記の資料提示装置に適用した場合、上記のようにライトペンの発光部を常に発光させた状態にしておくことができるから、資料載置台における発光点に対応したポインタマークを表示装置における資料の画像に常に表示させておくことができる。これにより、ライトペンのスイッチを操作して描画モードを行う場合、文字等を描き始める前にポインタマークが表示装置での資料の画像に表示されているので、プレゼンターは文字等を描き始めるときにその書出位置を認識することができる。したがって、プレゼンターは資料画像の所望の箇所から文字等を描き始めることができる。
【００１３】
ライトペンは種々の構成を用いることができる。スイッチとしては、ペン本体の先端部への押圧力に応じてＯＮ／ＯＦＦ状態を切り替える筆圧式スイッチや、押下ボタン式スイッチを用いることができる。筆圧式スイッチの場合は、押下ボタン式スイッチに比べて、軌跡表示信号を出力するためのボタン操作が不要であるから簡単な操作で発光点の軌跡を描くことができるので実用的である。押下ボタン式スイッチの場合は、筆圧式スイッチに比べて、簡単な構成を有することができる。
【００１４】
筆圧式スイッチとして、ペン本体の先端部への押圧力が第１押圧力設定値に達したときにＯＮ状態に切り替わる第１スイッチ部と、ペン本体の先端部への押圧力が第１押圧力設定値よりも大きな第２押圧力設定値に達したときにＯＮ状態に切り替わる第２スイッチ部とを有する２段押し筆圧式スイッチを用いてもよい。押下ボタン式スイッチとして、押下ボタンと、押下ボタンが第１の距離を押下されたときにＯＮ状態に切り替わる第１スイッチ部と、押下ボタンが第１の距離を押下された状態からさらに第２の距離を押下されたときにＯＮ状態に切り替わる第２スイッチ部とを有する２段押し押下ボタン式スイッチを用いてもよい。
【００１５】
また、出力部としては、スイッチのＯＮ／ＯＦＦ状態に応じて軌跡表示信号を選択的に発信する発信部を用いることができる。この場合、本発明のライトペンが適用される資料提示装置は軌跡表示信号を受信する受信部を備えることができる。また、出力部は、スイッチのＯＮ／ＯＦＦ状態に応じて軌跡表示信号として光を選択的に発する発光部を用いることができる。この場合、発光部は、スイッチのＯＮ／ＯＦＦ状態に応じてペン本体の先端部の発光部とは異なる形状の光を選択的に発するのが好ましい。さらに、出力部として、ペン本体の先端部に設けられた発光部を用いることができる。この場合、出力部は、スイッチのＯＮ／ＯＦＦ状態に応じて互いに異なる点滅周期の光を選択的に発してもよいし、互いに異なる強度の光を選択的に発してもよい。上記のように出力部として発光部を用いる場合には、資料提示装置の撮像手段を発光部の各種発光信号の検出手段として用いることができる。
【００１６】
加えて、筆圧式スイッチとして上記の２段押し筆圧式スイッチを用いる場合には、第１スイッチ部を発光部用とし、第２スイッチ部を出力部用とすることができる。具体的には、ペン本体の先端部への押圧力が第１押圧力設定値に達して第１スイッチ部がＯＮ状態となったときに、発光部が発光し、ペン本体の先端部への押圧力が第２押圧力設定値に達して第２スイッチ部がＯＮ状態となったときに、出力部から軌跡表示信号を出力するように構成することができる。このような態様では、ペン本体の先端部への押圧力に応じて発光部を選択的に発光させることができるので、簡単な操作で発光部を発光させることができる。また、ペン本体の先端部を対象物に押圧しているときのみ発光部を発光させることができるので、電力消費を抑制することができる。
【００１７】
また、押下ボタン式スイッチとして上記の２段押し押下ボタン式スイッチを用いる場合には、第１スイッチ部を発光部用とし、第２スイッチ部を出力部用とすることができる。具体的には、押下ボタンが第１の距離を押下されて第１スイッチ部がＯＮ状態になったときに、発光部が発光し、押下ボタンが第１の距離を押下された状態からさらに第２の距離を押下されて第２スイッチ部がＯＮ状態となったときに出力部から軌跡表示信号を出力するように構成することができる。このような態様では、２段押し筆圧式スイッチに比べて、簡単な構成を有することができる。
【発明の効果】
【００１８】
本発明のライトペンによれば、発光部を発光させた状態で、スイッチを操作することにより発光部の軌跡を表示するための軌跡表示信号を選択的に出力部から出力することができるので、発光部の発光点の軌跡を表示することができる所定の外部機器に対して、出力部から軌跡表示信号を発信するとき、発光部の発光点に対応したポインタマークを、その外部機器に表示されている資料の画像に初めから表示することができる等の効果が得られる。
【発明を実施するための最良の形態】
【００１９】
（１）実施形態の構成
（Ａ）ライトペン
以下、本発明の一実施形態について図面を参照して説明する。図１は、本発明の一実施形態に係るライトペン１の概略構成を表す拡大斜視図である。ライトペン１は、ペン形状をなしている。ライトペン１はペン本体１０を備え、ペン本体１０の先端部にはペン先２０が着脱自在に設けられている。ペン先２０には、ペン先２０の先端部の位置を指示するための光を発する発光部３０が軸線方向に設けられている。ペン本体１０の後端部には、発光部３０の軌跡を表示するための軌跡表示信号を出力する出力部として発信部４０が設けられている。
【００２０】
また、ライトペン１は、発光部３０を選択的に発光させるためのスイッチ手段としてペン本体１０に設けられた手動式スイッチ５０と、発信部４０から軌跡表示信号を選択的に出力させるためのスイッチ手段としてペン本体１０に設けられた筆圧式スイッチ６０とを備えている。なお、以下の説明では、ライトペン１の軸線方向のペン先２０側を先端側といい、それとは反対側を後端側という。
【００２１】
ペン本体１０は円筒状をなしている。ペン本体１０の内部には、電源手段として複数の電池（図示略）が設けられている。ペン本体１０の先端部の内周面には、雌ネジ部（図示略）が形成されている。
【００２２】
ペン先２０は、スイッチハウジング２１を備え、スイッチハウジング２１の先端側にはキャップ２２が摺動自在に設けられている。
【００２３】
スイッチハウジング２１は円筒状をなしている。スイッチハウジング２１の内部には、ペン本体１０の軸線方向の先端側に向けてキャップ２２を付勢するバネ（図示略）が収納されている。スイッチハウジング２１の後端部には、雄ネジ部２３が設けられている。雄ネジ部２３は、ペン本体１０の先端部の内周面の上記雌ネジ部と螺合することにより、ペン先２０はペン本体１０に着脱自在に取り付けられている。
【００２４】
キャップ２２は、透明な樹脂からなるとともに、略円錐状をなしている。キャップ２２は、スイッチハウジング２１にペン本体１０の軸線方向に摺動自在に設けられるとともに、スイッチハウジング２１内部に収納された上記バネによってペン本体１０の軸線方向の先端側に付勢されている。
【００２５】
発光部３０は、ペン先２０のキャップ２２内部に設けられ、ペン先２０の先端部に向けて発光する。発光部３０としては、光（たとえば赤外光）を発するＬＥＤと、ＬＥＤに流れる電流を適正値に制限する電流制御素子（抵抗器）とを備え、これら部位は、キャップ２２内部に樹脂モールドされて固定されている。
【００２６】
発信部４０は、ペン本体１０の後端部に設けられ、発光部３０の軌跡を表示するための軌跡表示信号を外部機器（たとえば、下記の資料提示装置）に出力する。発信部４０の発信方式としては、ワイヤレスによる赤外線を送信する赤外線方式やワイヤレスによる電波の信号を送信する電波方式がある。
【００２７】
手動式スイッチ５０は、発光部３０が発光しているＯＮ状態と発光部３０が発光していないＯＦＦ状態とを手動で切り替えるように構成されている。
【００２８】
筆圧式スイッチ６０は、通常ＯＦＦ状態となっており、キャップ２２の先端部が押圧されて、スイッチハウジング２１内部に収納された上記バネの付勢力に抗して、キャップ２２がペン本体１０の軸線方向の後端側に所定の間隔移動したときにＯＮ状態となって、発信部４０が軌跡表示信号を外部に出力するように構成されている。この場合、筆圧式スイッチ６０は、キャップ２２への押圧力が解除されると、キャップ２２はバネの付勢力により元の位置に戻り、ＯＦＦ状態となる。
【００２９】
（Ｂ）資料提示装置
上記のような構成を有するライトペン１は、たとえば図２，図３に示すような資料提示装置１００に適用するのが好適である。なお、図２は、資料提示装置１００の概略構成図、図３は資料提示装置１００の構成および機能を説明するための図である。
【００３０】
資料提示装置１００は、装置の基台としての資料載置台（資料載置手段）１１０を備えている。資料載置台１１０は、上面に資料（たとえば原稿Ｍ）が載置される資料載置面１１１を有している。資料載置台１１０の後端部には、ヒンジ機構１１２を介して開閉自在にモニタ１２０が取り付けられている。モニタ１２０の開き角度は、手動で適宜調整される。モニタ１２０は、図２に示すような開いた状態で画面が正面側を向き、プレゼンター（図示略）により視認される。
【００３１】
また、資料載置台１１０の後端部の左隅部には、アーム１１３が取り付けられている。アーム１１３は、鉛直方向に立設された支柱部１１３ａと、支柱部１１３ａの上端において、先端部が資料載置面１１１の略中央上方に位置するようにして設けられたＬ字状の水平部１１３ｂとを有する。アーム１１３の支柱部１１３ａの資料載置面１１１に面する側には、受信部１３０が設けられている。アーム１１３の水平部１１３ｂの先端には、原稿Ｍを撮影するための撮像部（撮像手段）１４０が回転自在に支持されている。
【００３２】
受信部１３０は、ライトペン１の発信部４０から出力された軌跡表示信号を受信する。受信部１３０の受信方式は、ライトペン１の発信部４０の方式に対応している。
【００３３】
撮像部１４０は、図３に示すように、動画撮影が可能なＣＣＤカメラであるカメラ１４１と、赤外光のみを透過する光学フィルタ１４２とを備えている。カメラ１４１は、ズーム機能およびオートフォーカス機能を備え、これら機能によって、カメラ１４１の画角は、そこに原稿Ｍが収まるようにして設定される。光学フィルタ１４２は、カメラ１４１の撮影光路に対して挿脱自在に設けられている。撮像部１４０は、上記のようにアーム１１３の水平部１１３ｂの先端で回転自在に支持されていることから、資料載置面１１１上の原稿Ｍだけでなく、たとえばモニタ１２０を撮影することも可能である。
【００３４】
また、資料載置台１１０の内部には、ポインティング／描画モードに設定されているときに、撮像部１４０により撮影された原稿Ｍの撮影画像の画像処理が実行される制御部（制御手段）１５０が設けられている。具体的には、制御部１５０は、ポインティングモードに設定されているとき、ライトペン１の発光部３０の撮影画像における発光点の位置に基づいて、原稿Ｍの撮影画像にポインタ画像を合成することができる。一方、制御部１５０は、受信部１３０がライトペン１の発信部４０から軌跡表示信号を受信して描画モードに設定されているとき、ライトペン１の発光部３０の撮影画像における上記発光点の軌跡に基づいて、原稿Ｍの撮影画像に軌跡画像を合成することができる。
【００３５】
制御部１５０により画像処理が実行された原稿Ｍの撮影画像は、モニタ（表示装置）１２０および液晶プロジェクタ１６０に出力される。モニタ１２０に出力された原稿Ｍの撮影画像は、そこで表示される。また、液晶プロジェクタ１６０に出力された原稿Ｍの撮影画像は、そこからスクリーン（表示装置、図示略）に投影されて表示される。
【００３６】
（２）実施形態の動作
次に、ライトペン１を資料提示装置１００に適用した場合の動作について、主に図４を参照して説明する。
【００３７】
プレゼンターは、プレゼンテーションにおいて、図２に示すように、仮想スクリーンＳが生成された資料載置面１１１に原稿Ｍを載置し、撮像部１４０のカメラ１４１の撮像光路中から光学フィルタ１４２を外し、カメラ１４１で原稿Ｍを撮影する。原稿Ｍの撮影画像は、制御部１５０に取り込まれ、そこで静止画像に処理される。この場合、原稿Ｍの撮影画像の静止画像への処理は、制御部１５０に所定のコマンドを入力し、資料撮影モードに切り替えることにより実行される。そして、原稿Ｍの静止画像は、モニタ１２０に出力され、そこに表示されるとともに、液晶プロジェクタ１６０に出力され、そこからスクリーンに投影されて表示される。
【００３８】
続いて、プレゼンターは、制御部１５０に所定のコマンドを入力することにより、図４に示すように、ポインティング／描画モードに切り替え（ステップＳ１１）、撮像部１４０のカメラ１４１の撮像光路中に光学フィルタ１４２を挿入する（ステップＳ１２）。次に、プレゼンターは、ライトペン１の手動式スイッチ５０をＯＮ状態に切り替えて発光部３０から赤外光を発光させながら、原稿Ｍにペン先２０のキャップ２２を原稿Ｍに押圧せずに（すなわち、筆圧式スイッチ６０をＯＮ状態にせずに）移動させる（ステップＳ１３）。なお、ステップＳ１１において、ポインティング／描画モードに切り替えられたとき、制御部１５０は、初期状態においてポインティングモードに設定されている。
【００３９】
このようなポインティングモードにおいて、カメラ１４１は、発光部３０からの赤外光の発光点を動画撮影し、撮影画像の画像データが制御部１５０に順次取り込まれる。そして、制御部１５０は、取り込まれた撮影画像から発光点を検出し（ステップＳ１４）、検出された発光点に基づいて仮想スクリーンＳ上の発光点の座標を演算し（ステップＳ１５）、ポインタマークを原稿Ｍの撮影画像における該演算された発光点の座標に対応する位置に合成する（ステップＳ１６）。このようにしてポイントマークが合成された原稿Ｍの撮影画像は、モニタ１２０に出力されて表示されるとともに、液晶プロジェクタ１６０に出力され、そこからスクリーンに投影されて表示される。
【００４０】
原稿Ｍの撮影画像にポインタマークが合成された後、制御部１５０は、受信部１３０がライトペン１の発信部４０から軌跡表示信号を受信したか否かを調べる（ステップＳ１７）。たとえば、プレゼンターが、引き続き原稿Ｍにペン先２０のキャップ２２を原稿Ｍに押圧せずに移動させた場合には、ライトペン１の発信部４０から軌跡表示信号が発信されないから、ステップＳ１７において制御部１５０は、受信部１３０の軌跡表示信号の受信状態を検出しないので、ステップＳ１４以降の動作を行う。
【００４１】
一方、プレゼンターが、原稿Ｍにペン先２０のキャップ２２を原稿Ｍに押圧して筆圧式スイッチ６０をＯＮ状態にした場合、ライトペン１の発信部４０から軌跡表示信号が発信されるから、ステップＳ１７において制御部１５０は、受信部１３０の軌跡表示信号の受信状態を検出するので、描画モードに切り替えられる。
【００４２】
ここで、本実施形態では、筆圧式スイッチ６０のＯＮ／ＯＦＦ状態（すなわち、ポインティングモード／描画モード）に関係なく、ライトペン１の発光部３０を常に発光させた状態とすることができるので、ポインタマークをモニタ１２０やスクリーンでの原稿Ｍの画像に常に表示しておくことができる。これにより、プレゼンターは、ポインティングモードから描画モードへの切替の際、上記のようにモニタ１２０やスクリーンに表示された原稿Ｍの画像におけるポインタマークを視認しながら、発光部３０を原稿Ｍの所望の位置に移動させ、そこで筆圧式スイッチ６０を原稿Ｍに押圧して、発信部４０から軌跡表示信号を出力させる。
【００４３】
このような描画モードにおいて、プレゼンターが、原稿Ｍにペン先２０のキャップ２２を原稿Ｍに押圧して筆圧式スイッチ６０をＯＮ状態にして、ライトペン１を原稿Ｍ上で移動させているとき（ステップＳ１８）、カメラ１４１は、発光部３０からの赤外光の発光点を動画撮影し、撮影画像の画像データが制御部１５０に順次取り込まれる。そして、制御部１５０は、取り込まれた撮影画像から発光点を検出し（ステップＳ１９）、検出された発光点に基づいて仮想スクリーンＳ上の発光点の座標を演算し（ステップＳ２０）、軌跡画像を原稿Ｍの撮影画像における該演算された発光点の軌跡の座標に対応する位置に合成する（ステップＳ２１）。このようにして軌跡画像が合成された原稿Ｍの撮影画像は、モニタ１２０に出力されて表示されるとともに、液晶プロジェクタ１５０に出力され、そこからスクリーンに投影されて表示される。
【００４４】
原稿Ｍの撮影画像に軌跡画像が合成された後、制御部１５０は受信部１３０がライトペン１の発信部４０から軌跡表示信号を受信したか否かを調べる（ステップＳ１７）。たとえば、プレゼンターが、原稿Ｍにペン先２０のキャップ２２の押圧をやめて、ライトペン１を原稿Ｍ上で移動させた場合には、ステップＳ１７において制御部１５０は、受信部１３０の軌跡表示信号の受信状態を検出しないから、ステップＳ１４以降の動作を行う。
【００４５】
一方、プレゼンターが、原稿Ｍにペン先２０のキャップ２２を原稿Ｍに押圧したまま、ライトペン１を原稿Ｍ上で移動させた場合には、ステップＳ１７において制御部１５０は、受信部１３０による軌跡表示信号の受信状態を検出するから、描画モードを引き続き行う。この場合、制御部は、上記と同様にステップＳ１９，Ｓ２０を実行した後、ステップＳ２１において、今回演算された発光点の軌跡をその直前に演算された発光点の軌跡に連結し、その連結された座標に対応する位置に軌跡画像を合成する。このように制御部１５０が受信部１３０の軌跡表示信号の受信状態を検出している間、演算された発光点の軌跡を繰り返し連結し、その連結された座標に対応する位置に軌跡画像を合成する。続いて、ステップＳ２１以降、制御部１５０は上記と同様な動作を行う。
【００４６】
そして、プレゼンターが所定のコマンドを入力してポインティング／描画モードから他のモードに切り替えたとき、ステップＳ１７において制御部１５０はそれを認識し、ポインティング／描画モードは終了する（ステップＳ２２）。
【００４７】
上記のように本実施形態のライトペン１では、発光部３０を発光させた状態で、筆圧式スイッチ６０を操作することにより発光部３０の軌跡を表示するための軌跡表示信号を選択的に発信部４０から出力することができるので、発光部３０の発光点の軌跡を表示することができる所定の外部機器に対して発信部４０から軌跡表示信号を発信するとき、発光部３０の発光点に対応したポインタマークを、その外部機器に表示されている資料の画像に初めから表示することができる。
【００４８】
本実施形態のライトペン１を外部機器として上記の資料提示装置１００に適用した場合、上記のようにライトペン１の発光部３０を常に発光させた状態にしておくことができるから、資料載置台１１０における発光点に対応したポインタマークをモニタ１２０やスクリーンにおける原稿Ｍの画像に常に表示させておくことができる。これにより、ライトペン１の筆圧式スイッチ６０を操作して描画モードを行う場合、文字等を描き始める前にポインタマークがモニタ１２０やスクリーンでの原稿Ｍの画像に表示されているので、プレゼンターは文字等を描き始めるときにその書出位置を認識することができる。したがって、プレゼンターは原稿Ｍの画像の所望の箇所から文字等を描き始めることができる。
【００４９】
特に、本実施形態のライトペン１では、発信部４０からの軌跡表示信号の出力を選択的に行うためのスイッチとして筆圧式スイッチ６０を用いることができるから、押下ボタン式スイッチのものに比べて、軌跡表示信号を出力するためのボタン操作が不要であることから簡単な操作で発光点の軌跡を描くことができるので実用的である。
【００５０】
（３）変形例
上記実施形態を挙げて本発明を説明したが、本発明は上記実施形態に限定されるものではなく、種々の変形が可能である。たとえば上記実施形態では、軌跡表示信号の出力部として発信部４０を用いたが、これに限定されるものではない。たとえば、図５に示すように、出力部として、筆圧式スイッチ６０のＯＮ／ＯＦＦ状態に応じて、軌跡表示信号として光を選択的に発する発光部３１を用いることができる。この場合、ペン本体１０の先端部の発光部３０とは異なる形状の光を選択的に発するのが好適である。また、発光部３１の配置位置は、ペン先２０の内部に限定されるものではなく、たとえばペン本体１０の後端部に設けてもよい。
【００５１】
さらに、発光部３０は、出力部の機能を兼ねることができる。この場合、発光部３０は、筆圧式スイッチ６０のＯＮ／ＯＦＦ状態に応じて、互いに異なる点滅周期の光（たとえば連続発光の光と点滅発光の光）を選択的に発してもよいし、互いに異なる強度の光を選択的に発してもよい。このような態様では、出力部として発信部４０や発光部３１を別途設ける必要がないので、簡単な構成とすることができる。なお、上記のように出力部として発光部３０や発光部３１を用いる場合には、資料提示装置１００の撮像部１４０を発光部３０，３１の上記発光信号の検出手段として用いることができる。
【００５２】
加えて、手動式スイッチとして、図６に示すような押下ボタン式スイッチ７０を設けることができる。この場合、押下ボタン式スイッチ７０を押下することにより、出力部４０から軌跡表示信号を出力することができる。このような態様では、手動式スイッチ５０よりも押下ボタン式スイッチ７０の方が簡単に操作を行うことができるから、簡単な操作で発光点の軌跡を描くことができるので実用的である。なお、上記態様では、筆圧式スイッチ６０を発光部用、押下ボタン式スイッチ７０を出力部用としたが、それを逆にして、筆圧式スイッチ６０を出力部用、押下ボタン式スイッチ７０を発光部用としてもよい。
【００５３】
手動式スイッチ５０および筆圧式スイッチ６０の代わりに、公知の２段押し筆圧式スイッチを用いることができる。たとえば、図７に示すように、２段押し筆圧式スイッチとしては、それぞれがバネ等の弾性部材や電極部材等を備えた第１スイッチ部８１および第２スイッチ部８２を有する２段押し筆圧式スイッチ８０を用いることができる。第１スイッチ部８１では、キャップ２２への押圧力が第１押圧力設定値に達したときにＯＮ状態に切り替わり、第２スイッチ部８２では、キャップ２２への押圧力が第１押圧力設定値よりも大きな第２押圧力設定値に達したときにＯＮ状態に切り替わるように構成されている。この場合、第１スイッチ部８１を発光部用とし、第２スイッチ部８２を出力部用とし、ペン先２０への押圧力が第１押圧力設定値に達して第１スイッチ部８１がＯＮ状態となったときに、発光部３０が発光し、ペン先２０への押圧力が第２押圧力設定値に達して第２スイッチ部８２がＯＮ状態となったときに、出力部４０から軌跡表示信号を出力するように構成する。このような態様では、ペン先２０への押圧力に応じて発光部３０を選択的に発光させることができるので、簡単な操作で発光部３０を発光させることができる。また、原稿Ｍにペン先２０を押圧しているときのみ発光部３０を発光させることができるので、電力消費を抑制することができる。
【００５４】
また、図８に示すように、公知の２段押し押下ボタン式スイッチを用いることができる。たとえば、図８に示すように、２段押し押下ボタン式スイッチとしては、それぞれがバネ等の弾性部材や電極部材等を備えた第１スイッチ部９１および第２スイッチ部９２を有する２段押し押下ボタン式スイッチ９０を用いることができる。このような２段押し押下ボタン式スイッチ９０は、第１スイッチ部９１では、押下ボタン９３が第１の距離を押下されたときにＯＮ状態に切り替わり、第２スイッチ部９２では、押下ボタン９３が第１の距離を押下された状態からさらに第２の距離を押下されたときにＯＮ状態に切り替わるように構成されている。この場合、第１スイッチ部９１を発光部用とし、第２スイッチ部９２を出力部用とし、押下ボタン９３が第１の距離を押下されて第１スイッチ部９１がＯＮ状態になったときに、発光部３０が発光し、押下ボタン９３が第１の距離を押下された状態からさらに第２の距離を押下されて第２スイッチ部９２がＯＮ状態となったときに出力部４０から軌跡表示信号を出力するように構成することができる。このような態様では、手動式スイッチ５０および筆圧式スイッチ６０からなるスイッチおよび２段押し筆圧式スイッチ８０に比べて、簡単な構成を有することができる。
【図面の簡単な説明】
【００５５】
【図１】本発明の一実施形態に係るライトペンの拡大斜視図である。
【図２】本発明の一実施形態に係るライトペンが適用される資料提示装置の概略構成を表す斜視図である。
【図３】本発明の一実施形態に係る資料提示装置の構成および機能を系統的に表すブロック図である。
【図４】本発明の一実施形態に係る資料提示装置によるライトペンの発光部の認識動作を説明するための図である。
【図５】本発明の一実施形態に係るライトペンの変形例の拡大斜視図である。
【図６】本発明の一実施形態に係るライトペンの他の変形例の拡大斜視図である。
【図７】本発明の一実施形態に係るライトペンの他の変形例の拡大斜視図である。
【図８】本発明の一実施形態に係るライトペンの他の変形例の拡大斜視図である。
【符号の説明】
【００５６】
１…ライトペン、１０…ペン本体、２０…ペン先、３０，３１…発光部、４０…発信部（出力部）、６０…筆圧式スイッチ（スイッチ）、７０…押下ボタン式スイッチ（スイッチ）、８０…２段押し筆圧式スイッチ（スイッチ）、８１，９１…第１スイッチ部、８２，９２…第２スイッチ部、９０…２段押し押下ボタン式スイッチ（スイッチ）、９３…押下ボタン
【図１】
2006189706.tif 000003
【図２】
2006189706.tif 000004
【図３】
2006189706.tif 000005
【図４】
2006189706.tif 000006
【図５】
2006189706.tif 000007
【図６】
2006189706.tif 000008
【図７】
2006189706.tif 000009
【図８】
2006189706.tif 000010